(57)【特許請求の範囲】
【請求項１】
電話用のモジュラーコードを接続するジャックユニットを設けてなる通信端末装置において、
本体フレームに取り付けられたモジュラーブラケットにモジュラーを取付けて前記ジャックユニットを構成し、
前記ジャックユニットに対応させて外装カバーに開口部を形成し、
前記モジュラーの一辺を覆うリブを前記開口部の外装カバー内面に設け、
前記モジュラーを前記モジュラーブラケットと前記リブとの間で挟込むようにして位置決めし、
前記開口部に対応させて、ジャックユニットを案内する案内部を設け、
前記案内部は、外装カバーと一体に形成された傾斜部であり、前記リブに連なるものとして構成されることを特徴とする通信端末装置の回線接続部構造。
【発明の詳細な説明】
【０００１】
【発明の属する技術分野】
本発明は、通信端末装置の回線接続部の構造に関し、特に、電話用のモジュラーコードを接続するジャックユニットの取付け構造に関する。
【０００２】
【従来の技術】
ファクシミリ装置等の通信端末装置には、電話用のモジュラーコードの端末としてのプラグユニットを接続するために、ジャックユニットが設けられており、前記ジャックユニットは、装置本体の外装カバーに設けられた孔に面して配置される。前記ファクシミリ装置に設けるジャックユニットは、前記外装カバーの孔に対応させた装置フレーム内に設けた基板上に実装され、電話線に直接接続するものと、内線の電話に接続するもの等の、複数のプラグユニットを外側から挿入して装着可能に構成しているものである。
【０００３】
前記通信端末としては、例えば、図５に示されるように構成したものが従来より用いられている。この例においては、モジュラーブラケット３にモジュラー２を取付けてジャックユニット１を構成しており、ファクシミリ装置等の装置本体の本体フレームに、モジュラーブラケット３を取り付けてモジュラー２を位置決めしている。前記ジャックユニット１のプラグユニット装着側には、外装カバー１０の開口部１４を配置し、モジュラーコード７の接続端末としてのプラグユニット５を外側から装着して、電話回線との接続を行っている。前記外装カバー１０のプラグユニット装着部には凹部１１が設けられており、プラグユニット５をモジュラー２に装着した状態でも、プラグユニットが外装カバー１０の外面に突出しないようにされる。
【０００４】
【発明が解決しようとする課題】
ところが、前記ジャックユニット１を装置の本体フレームに装着してから、外装カバー１０を取付けると、前記外装カバー１０の開口部１４に対する位置決め部材がないので、モジュラー２のプラグユニット５を挿入する位置が正確に設定されないという問題が発生することがある。また、装置の本体フレームに装着する外装カバーにおいても、できるだけ薄い板部材を使用することが望まれており、前記板部材に凹部を形成するような加工を行ったものを用いても、その強度を十分に確保することが困難であることがある。
【０００５】
さらに、前記外装カバー１０に設けた開口部１４からプラグユニット５を装着して、モジュラーコード７を接続する際に、前記外装カバーの開口部とジャックユニットの位置に狂いが発生することがある。そして、図６に示すように、プラグユニットを装着した後で、固定用爪部材６が開口部に引っ掛かったり、操作しにくくなり、プラグユニット５を取り外すことができなくなるという問題も発生していた。
【０００６】
本発明は、前述したような従来のジャックユニットの取付部と、外装カバーの装着の問題を解消するもので、外装カバーの開口部に対してジャックユニットの位置決めと、外装カバーの強度の問題を解決し得る機構を提供することを目的としている。
【０００７】
【課題を解決するための手段】
本発明は、電話用のモジュラーコードを接続するジャックユニットを設けてなる通信端末装置の回線接続部構造に関する。本発明の請求項１の発明は、本体フレームに取り付けられたモジュラーブラケットにモジュラーを取付けて前記ジャックユニットを構成し、前記ジャックユニットに対応させて外装カバーに開口部を形成し、前記モジュラーの一辺を覆うリブを前記開口部の外装カバー内面に設け、前記モジュラーを前記モジュラーブラケットと前記リブとの間で挟込むようにして位置決めしたことを特徴とする。そして、前記構成により、モジュラージャックに接続するモジュラーコードの破損を防止することができる。
【０００８】
また、前記開口部に対応させて、ジャックユニットを案内する案内部を設けたことを特徴とする。したがって、モジュラージャック部に対して、外装カバーの取付けを容易に行うことができる。さらに、前記案内部は、外装カバーと一体に形成された傾斜部であり、前記リブに連なるものとして構成されることを特徴とする。そして、外装カバーの構成を簡素化でき、装置の組み立てとプラグユニットの着脱を容易に行わせることが可能になる。
【０００９】
【発明の実施の形態】
図示される例にしたがって、本発明の装置の構成を説明する。図１に示される例においては、モジュラーブラケット３にモジュラー２を取付けてジャックユニット１を構成しており、ファクシミリ装置等の装置本体の本体フレームに、モジュラーブラケット３を取り付けてモジュラー２を位置決めしている。前記ジャックユニット１のプラグユニット装着側には、外装カバー１０の開口部１４を設け、モジュラーコード７の接続端末としてのプラグユニット５を外側から装着して、電話回線との接続を行っている。前記外装カバー１０のプラグユニット装着部には凹部１１が設けられており、プラグユニット５をモジュラー２に装着した状態でも、プラグユニットが外装カバー１０の外面に突出しないようにされる。また、前記外装カバー１０の凹部１１に対応する内面側にはリブ２０を設けて、モジュラー２の位置決めと開口部に対する補強作用を発揮させるようにしている。
【００１０】
そして、前記ジャックユニット１を装置の本体フレームに装着してから、外装カバー１０を取付ける作業を行うと、図４に示すように、カバーの開口部１４の補強のため等に、その内面に突出させて設けている孔のリブ２０の突出先端が、前記ユニットに当ることがある。しかしながら、前記ジャックユニットの支持基板としてのモジュラーブラケット３が、前記リブ２０の先端に当たったとしても、組み立て時には作業者は十分に注意して作業を行っているものであるから、前記モジュラーブラケットを破損したりすることはない。また、前記外装カバー１０の内面に設けているリブ２０は、モジュラー２を外装カバー１０の開口部１４に対して正確に位置決めするための手段として用いることができる。そして、前記外装カバー１０に設けた開口部１４からプラグユニット５を装着して、モジュラーコード７を接続する際に、前記外装カバーの開口部とジャックユニットの位置が正確に設定されるので、プラグユニットを装着した後で、固定用爪部材６が開口部に引っ掛かったり、操作しにくくなり、プラグユニットを取り外すことができなくなるという問題が発生することがなくなる。
【００１１】
図３に示す例は、ジャックユニットに対応させて外装カバー１０を組み合わせる別の例を示しているもので、ファクシミリ装置のような通信端末装置の本体フレームに対して、モジュラーブラケット３を介してモジュラー２を位置決めして設けている。前記本体フレームの外面にはプラスチックにより構成した外装カバー１０を取り付けており、前記外装カバー１０の内側に向けて形成した凹部１１を形成し、プラグユニット装着部としての開口部１４を凹部１１に設けていることは前記図１の場合と同様に構成される。
【００１２】
そして、モジュラーコード７の接続端末としてのプラグユニットを、前記外装カバー１０の開口部１４の部分から装着して、電話回線との接続を行い、プラグユニットをモジュラー２に装着した状態でも、プラグユニットが外装カバー１０の外面に突出しないようにされる。また、前記外装カバー１０の凹部１１に対応する内面側には補強用リブ１２を一体に設け、前記開口部１４の上部に対応する位置には、リブ２０を一体に設けて、モジュラー２の開口部に対する位置決めと、外装カバー１０の開口部を補強する作用を行わせている。
【００１３】
前記外装カバー１０の内面に設けている補強用リブ１２には、図３、４に示すように、ジャックユニット１の上部に対応させて案内用斜面部１３を形成しており、外装カバー１０を装置の本体フレームに取付ける際に、前記案内用斜面部１３をモジュラー２の角部に対する案内面として作用させる。例えば、図２に示すように、本体フレームに装着しているジャックユニット１の位置が、外装カバー１０の開口部１４の位置に一致しない場合が想定される。そのような状態でも、前記外装カバー１０を装着する時に、モジュラー２の角の部分がリブ２０に連なる案内用斜面部１３に対して摺動し、前記案内用斜面部１３によりモジュラー２を少しずつ押し下げるような作用を加えながら、下部のリブ２０に対してモジュラー２を位置決めさせることができ、外装カバー１０の開口部１４に対する位置決めが可能となる。
【００１４】
前記ジャックユニット１に対応させて外装カバー１０を位置決めする際に、モジュラー２をモジュラーブラケット３により支持しているので、モジュラー２の角の部分が補強用リブ１２の案内用斜面部１３により押し下げられた時に、前記モジュラーブラケット３が押圧作用により若干変形し、モジュラーに対する位置決めが容易に行われる。また、前記モジュラーブラケット３を本体フレームに取付けるためのねじ４は、モジュラーブラケットを本体フレームに対して上下方向に調整可能に設けているので、補強用リブ１２がモジュラー２に対して強くあたる状態では、前記モジュラーブラケットの固定位置を調整して対応させることができる。したがって、前記ジャックユニット１を本体フレームに取付けてから、外装カバー１０を本体フレームに設けた位置決め手段を用いて装着する際に、ジャックユニットと外装カバーの開口部との位置を一致させることは、比較的容易に行い得るものとなる。
【００１５】
前述したように、ジャックユニット１を装着した本体フレームに対して、開口部を設けた外装カバー１０を取付ける際に、モジュラー２に対して外装カバーの開口部を位置決めする動作を、前記外装カバーの内面に突出させて設けている補強用リブ１２と案内面１３とを用いてを容易に行うことができる。そして、前記外装カバーを本体フレームに取付ける際に、リブ２０を用いて、モジュラーのプラグユニット装着部が位置決めされることにより、前記開口部に対して正確に設定される。また、前記外装カバーに設けている補強用リブ１２には、モジュラーに対応させた案内用斜面部を設けていることから、外装カバーの装着作業を行う際に、ジャックユニットに対する過分な注意を払う必要がないので、ファクシミリ装置等の組み立て作業を容易に行うことが可能となる。したがって、前記ジャックユニットのモジュラー２が外装カバーの開口部に対して正確な位置に位置決めされることにより、モジュラーに対してプラグユニットを装着する作用を容易に行うことができ、前記プラグユニットを取り外す場合にも、固定用爪部材が引っ掛かったりすることがなく、プラグユニットの着脱の作業を容易に行うことができる。
【００１６】
なお、前記本発明の実施例において、外装カバーに設ける開口部の大きさは、ジャックユニットに配置するモジュラーの数に応じて形成されるものである。また、前記開口部に対応させて凹部の内側に突出させて設けるリブでは、外装カバーの補強を行うために必要とされる強度等に対応させて、その突出長さは任意に形成が可能である。さらに、前記ジャックユニットにおいて、モジュラーを支持するモジュラーブラケットの形状や構造等は、従来の装置の場合と同様に構成できるものであり、その他に、必要に応じて任意の支持手段を用いることも可能である。
【００１７】
【発明の効果】
本発明の装置は、前述したように構成しているので、本体フレームに取り付けられたモジュラーブラケットにモジュラーを取付けて前記ジャックユニットを構成し、前記ジャックユニットに対応させて外装カバーに開口部を形成し、前記モジュラーの一辺を覆うリブを前記開口部の外装カバー内面に設け、前記モジュラーを前記モジュラーブラケットと前記リブとの間で挟込むようにして位置決めしたことにより、モジュラージャックに接続するモジュラーコードの破損を防止することができる。また、前記外装カバーに設けた開口部に対応させて、ジャックユニットを案内する案内部を設けたことにより、モジュラージャック部に対して、外装カバーの取付けを容易に行うことができる。さらに、前記案内部は外装カバーと一体に形成された傾斜部であり、前記リブに連なるものとして構成されることにより、外装カバーの構成を簡素化でき、装置の組み立てとプラグユニットの着脱を容易に行わせることが可能になる。
【図面の簡単な説明】
【図１】  ジャックユニットと外装カバーの関係の説明図である。
【図２】  ジャックユニットに対して外装カバーを装着する状態の説明図である。
【図３】  ジャックユニットと外装カバーの関係の別の実施例の説明図である。
【図４】  図３の組み合わせ状態の説明図である。
【図５】  従来のジャックユニットと外装カバーの関係の説明図である。
【図６】  図５の組み立て時の問題の説明図である。
【符号の説明】
１    ジャックユニット、  ２    モジュラー、  ３    プラグユニット、
４    ねじ、  ５    プラグユニット、  ６    固定用爪部材、
７    モジュラーコード、  １０    外装カバー、  １１    凹部、
１２    補強用リブ、  １３    案内用斜面部、  １４    開口部、
２０    リブ。
【図１】
0004003329.tif 000002
【図２】
0004003329.tif 000003
【図３】
0004003329.tif 000004
【図４】
0004003329.tif 000005
【図５】
0004003329.tif 000006
【図６】
0004003329.tif 000007